(57)【特許請求の範囲】
【請求項１】
枠状のケース本体と、複数の電気部品が装着されかつ前記ケース本体の内側に取り付けられるカセットブロックと、該カセットブロックの下面側に取り付けられる複数の電線と、を有する電気接続箱において、
前記ケース本体に、複数の前記カセットブロックを上下複数段に重ねて取り付けるとともに、互いに重ねられた前記カセットブロック同士の間に上段側のカセットブロックの前記電線を収容する空間が形成される位置に当該カセットブロックを取り付ける複数のロック部が設けられており、
最下段以外の上段側のカセットブロックが前記ケース本体の上面側から当該ケース本体内に収容されて当該ケース本体に取り付けられていることを特徴とする電気接続箱。
【請求項２】
互いに重ねられた前記カセットブロック同士の上段側のカセットブロックの前記電線が一束に束ねられており、該電線束が、下段側のカセットブロックの外側でかつ前記ケース本体の隅に形成された通路を通されて、前記下段側のカセットブロックの下面側に通されていることを特徴とする請求項１に記載の電気接続箱。
【請求項３】
互いに重ねられた前記カセットブロック同士の下段側のカセットブロックが、前記電気部品が装着される装着面と、該装着面から立設し、前記電気部品を前記装着面に案内するガイド壁と、を有しており、前記ガイド壁の前記装着面からの高さが、前記電気部品の前記装着面からの高さよりも高く形成されていることを特徴とする請求項１または請求項２に記載の電気接続箱。
【発明の詳細な説明】
【技術分野】
【０００１】
本発明は、自動車のエンジンルームなどに取り付けられる電気接続箱に関するものである。
【背景技術】
【０００２】
自動車には多種多様な電子機器が搭載されている。これら多種多様な電子機器に電力を供給するために、前記自動車には、電源と前記電子機器との間の適宜箇所に、ヒューズやリレー等の電気部品が集約されて構成された電気接続箱が配置されている（例えば特許文献１を参照。）。
【０００３】
なお、電気接続箱は、ジャンクションブロック、ヒューズブロック、リレーボックス、とも呼ばれる。本明細書では、前述したジャンクションブロック、ヒューズブロック、リレーボックスを、総称して以下電気接続箱と呼ぶ。
【０００４】
この電気接続箱は、車種によりいろいろなものが用いられているが、例えば、特許文献１に示す電気接続箱のように、枠状のケース本体と、このケース本体の内側に取り付けられるカセットブロックと、ケース本体の上面側に取り付けられるアッパカバーと、ケース本体の下面側に取り付けられるロアカバーと、を有するものが一般的に知られている。
【０００５】
上記カセットブロックは、合成樹脂により略ブロック状に形成されており、その上面側に上記電気部品が装着される装着面が設けられ、下面側に電線が取り付けられる電線取付部が設けられている。また、このカセットブロックは、メンテナンス性を考慮して、前記装着面がケース本体の上面側に位置する向きで、該ケース本体に取り付けられている。
【０００６】
上記電気接続箱は、上記カセットブロックが取り付けられたケース本体の上面側にアッパカバーが取り付けられ、ケース本体の下面側にロアカバーが取り付けられることで、電気接続箱内部が保護されている。該電気接続箱は、アッパカバーとケース本体、及び、ロアカバーとケース本体を固定するロック手段が複数設けられている。また、アッパカバーはメンテナンス時にケース本体から取り外されるが、ロアカバーは自動車の解体時以外はケース本体から取り外す機会がないので、防水性能を高めるために、ロアカバーとケース本体とを固定する前記ロック手段は、アッパカバーとケース本体とを固定する前記ロック手段よりも係止力が大きく設定されており、その数もアッパカバーとケース本体とを固定する前記ロック手段よりも多く設定されている。
【０００７】
また、上記電気接続箱は、ケース本体からアッパカバーを取り外すことで、カセットブロックの電気部品が装着された装着面がケース本体の上面側に露出されるので、カセットブロックをケース本体から取り外さずとも容易に部品交換等のメンテナンスを行うことができる。このように、従来の電気接続箱は、メンテナンス性を考慮して、上述したように、カセットブロックの装着面がケース本体の上面側に位置する向きで、ケース本体に取り付けられた構造となっていた。
【先行技術文献】
【特許文献】
【０００８】
【特許文献１】特開２００７−６８２７４号公報
【発明の概要】
【発明が解決しようとする課題】
【０００９】
しかしながら、上述した従来の電気接続箱においては、以下に示す問題があった。即ち、近年の自動車に搭載される電子機器の増加に伴い、上記電気接続箱に搭載される電気部品の個数は増加傾向にあるが、これら電気部品の装着面をメンテナンス性を優先して水平方向に増設すると、この電気接続箱の水平投影面積が増大し、自動車車体における設置スペースの確保が困難になってしまうという問題があった。
【００１０】
この問題の解決策として、例えば、カセットブロックを複数に分割し、分割された各カセットブロックを上下に重ねた構造とすることが考えられるが、単純に複数のカセットブロックを上下に重ねるだけでは、下段側のカセットブロックのメンテナンス性が悪くなってしまうといった問題や、上段側のカセットブロックに取り付けられた電線が下段側のカセットブロックに取り付けられた電気部品に接触して該電気部品に外力が働き、電線や電気部品の電気接続箇所や電気部品そのものに悪影響を及ぼしてしまうといった問題が生じることになる。
【００１１】
したがって、本発明は、水平投影面積を増大させることなく電気部品の搭載個数を増加させることができ、かつ、メンテナンス性に優れた電気接続箱を提供することを目的とする。
【課題を解決するための手段】
【００１２】
上記目的を達成するために請求項１に記載された発明は、枠状のケース本体と、複数の電気部品が装着されかつ前記ケース本体の内側に取り付けられるカセットブロックと、該カセットブロックの下面側に取り付けられる複数の電線と、を有する電気接続箱において、前記ケース本体に、複数の前記カセットブロックを上下複数段に重ねて取り付けるとともに、互いに重ねられた前記カセットブロック同士の間に上段側のカセットブロックの前記電線を収容する空間が形成される位置に当該カセットブロックを取り付ける複数のロック部が設けられており、最下段以外の上段側のカセットブロックが前記ケース本体の上面側から当該ケース本体内に収容されて当該ケース本体に取り付けられていることを特徴とする電気接続箱である。
【００１３】
請求項２に記載された発明は、請求項１に記載された発明において、互いに重ねられた前記カセットブロック同士の上段側のカセットブロックの前記電線が一束に束ねられており、該電線束が、下段側のカセットブロックの外側でかつ前記ケース本体の隅に形成された通路を通されて、前記下段側のカセットブロックの下面側に通されていることを特徴とするものである。
【００１４】
請求項３に記載された発明は、請求項１または請求項２に記載された発明において、互いに重ねられた前記カセットブロック同士の下段側のカセットブロックが、前記電気部品が装着される装着面と、該装着面から立設し、前記電気部品を前記装着面に案内するガイド壁と、を有しており、前記ガイド壁の前記装着面からの高さが、前記電気部品の前記装着面からの高さよりも高く形成されていることを特徴とするものである。
【発明の効果】
【００１５】
請求項１に記載された発明によれば、前記ケース本体に、複数の前記カセットブロックを上下複数段に重ねて取り付けるとともに、互いに重ねられた前記カセットブロック同士の間に上段側のカセットブロックの前記電線を収容する空間が形成される位置に当該カセットブロックを取り付ける複数のロック部が設けられており、最下段以外の上段側のカセットブロックが前記ケース本体の上面側から当該ケース本体内に収容されて当該ケース本体に取り付けられているので、ケース本体の水平投影面積を増大させることなく電気部品の搭載個数を増加させることができる。また、上段側のカセットブロックをケース本体の上方にずらしてケース本体から取り外すことで、下段側のカセットブロックに装着された電気部品の交換等のメンテナンス作業を、下段側のカセットブロックをケース本体から取り外さずとも容易に行うことができる。よって、水平投影面積を増大させることなく電気部品の搭載個数を増加させることができ、かつ、メンテナンス性に優れた電気接続箱を提供することができる。
【００１６】
請求項２に記載された発明によれば、互いに重ねられた前記カセットブロック同士の上段側のカセットブロックの前記電線が一束に束ねられており、該電線束が、下段側のカセットブロックの外側でかつ前記ケース本体の隅に形成された通路を通されて、前記下段側のカセットブロックの下面側に通されているので、下段側のカセットブロックに装着された電気部品の交換等のメンテナンス作業を行う際に、上段側のカセットブロックに取り付けられた電線が邪魔にならず、下段側のカセットブロックのメンテナンス作業をさらに容易に行うことができる。また、前記通路を支点として上段側のカセットブロックをスムーズにケース本体から取り外すことができ、下段側のカセットブロックのメンテナンス作業をさらに容易に行うことができる。
【００１７】
請求項３に記載された発明によれば、互いに重ねられた前記カセットブロック同士の下段側のカセットブロックが、前記電気部品が装着される装着面と、該装着面から立設し、前記電気部品を前記装着面に案内するガイド壁と、を有しており、前記ガイド壁の前記装着面からの高さが、前記電気部品の前記装着面からの高さよりも高く形成されているので、上段側のカセットブロックに取り付けられた電線が下段側のカセットブロックに取り付けられた電気部品に接触することを防止でき、電線や電気部品の電気接続箇所や電気部品そのものに悪影響を及ぼすことを防止できる。
【図面の簡単な説明】
【００１８】
【図１】本発明の一実施の形態に係る電気接続箱を示す断面図である。
【図２】図１に示された電気接続箱の分解図である。
【図３】図１中のＡ−Ａ線に沿った断面図である。
【図４】図１中に示された下段側のカセットブロックのＢ−Ｂ線に沿った断面図である。
【図５】図４に示された下段側のカセットブロックを図４中の矢印Ｃ方向から見た平面図である。
【図６】図１に示された電気接続箱のメンテナンス方法を説明するための説明図である。
【発明を実施するための形態】
【００１９】
本発明の一実施の形態に係る電気接続箱を、図１ないし図６を参照して説明する。
【００２０】
本発明の電気接続箱１は、自動車のエンジンルームに取り付けられて、前記自動車に搭載された多種多様な電子機器に電力を供給するものである。また、本明細書では、ジャンクションブロック、ヒューズブロック、リレーボックスを、総称して以下「電気接続箱」と呼ぶ。
【００２１】
上記電気接続箱１は、図１ないし図３に示すように、枠状のケース本体２と、このケース本体２の内側に取り付けられた複数のカセットブロック３，４と、各カセットブロック３，４の下面側に取り付けられた複数の電線５と、ケース本体２の上面側に取り付けられる図示しないアッパカバーと、ケース本体２の下面側に取り付けられる図示しないロアカバーと、を有している。
【００２２】
また、図１〜６中の矢印Ｙは、鉛直方向と平行な方向を示しているとともにケース本体２の高さ方向を示しており、矢印Ｘは、水平方向と平行な方向を示しているとともにケース本体２の幅方向を示しており、矢印Ｚは、水平方向と平行な方向を示しているとともにケース本体２の長手方向を示している。また、本発明において、「上下方向」とは、矢印Ｙ方向、即ちケース本体２の高さ方向、を意味し、図１〜６中の矢印Ｙ方向の紙面方向における上側を「上」と表現し、この「上」に対して矢印Ｙ方向の紙面方向における下側を「下」と表現する。
【００２３】
上記ケース本体２は、枠状をなす複数の周壁２１と、これら周壁２１によって囲まれた空間を区画する隔壁２２と、を有している。これら複数の周壁２１と隔壁２２とは合成樹脂により一体成形されている。また、周壁２１及び隔壁２２の内面には、カセットブロック３，４を取り付ける複数のロック部１１が設けられている。このロック部１１は、突起状に形成された突起部１１ｂと、互いの間に突起部１１ｂを位置付ける位置に設けられかつ矢印Ｙに沿って延びた一対のガイドレール１１ａと、で構成されている。
【００２４】
上記カセットブロック３は、合成樹脂により形成されており、ブロック状に形成された本体部３０と、複数のガイド壁３１，３２，３３と、複数の被ロック部１２と、を一体に有している。
【００２５】
上記本体部３０は、その上面側に設けられかつ、リレー、ヒュージブルリンク、ヒューズ等の複数の電気部品８，９，１０が装着される平らな装着面３０ａと、装着面３０ａから矢印Ｙに沿って凹に設けられた複数の電線取付部３４と、を有している。この電線取付部３４は、各電線５の端末に取り付けられた端子金具７を本体部３０の下面側から受け入れて取り付けるとともに、電気部品８，９，１０の端子部を本体部３０の上面側、即ち装着面３０ａ側、から受け入れて収容する。
【００２６】
また、本実施形態において、前記端子金具７は、図１に示すように、雌型に形成されて電気部品８，９，１０の雄型の端子部を内側に収容し、該端子部と電気的に接続される電気接続部７ａと、電線５の端末において露出された当該電線５の芯線をかしめて該芯線と電気的に接続される電線接続部７ｂと、を有している構成であるが、本発明においては、前記端子金具が、雄型に形成されて前記電気部品の雌型の端子部の内側に挿入される前記電気接続部と、電線接続部７ｂと、を有している構成であっても良い。
【００２７】
上記複数のガイド壁３１，３２，３３は、装着面３０ａから筒状に立設している。これらガイド壁３１，３２，３３は、電気部品８，９，１０が装着面３０ａに近付けられるにしたがって前記端子部が電線取付部３４内に矢印Ｙに沿って真っ直ぐに収容されるように、電気部品８，９，１０を装着面３０ａに案内する。
【００２８】
上記複数の被ロック部１２は、図２に示すように、本体部３０の側面に設けられている。この被ロック部１２は、突起状に形成された突起部１２ｂと、互いの間に突起部１２ｂを位置付ける位置に設けられた一対のガイドレール１２ａと、で構成されている。前記突起部１２ｂは、ケース本体２に設けられたロック部１１の突起部１１ｂに係止される。また、前記一対のガイドレール１２ａは、ロック部１１の一対のガイドレール１１ａ間に位置付けられるとともに一対のガイドレール１１ａ間を矢印Ｙに沿って摺動する。
【００２９】
上述したカセットブロック３は、図２に示すように、装着面３０ａがケース本体２の上面側に位置する向きで、矢印Ｙに沿ってケース本体２の上面側からケース本体２内に収容され、被ロック部１２がロック部１１に係止することでケース本体２の内側に取り付けられる。この際、被ロック部１２の一対のガイドレール１２ａがロック部１１の一対のガイドレール１１ａ間を矢印Ｙに沿って摺動することで、被ロック部１２の突起部１２ｂがロック部１１の突起部１１ｂに係止される位置に案内される。また、突起部１２ｂが突起部１１ｂに係止されることで、カセットブロック３がケース本体２に対して矢印Ｙ方向に位置ずれすることが防止され、一対のガイドレール１２ａが一対のガイドレール１１ａ間に位置付けられることで、カセットブロック３がケース本体２に対して矢印Ｘ方向または矢印Ｚ方向に位置ずれすることが防止される。
【００３０】
上記カセットブロック４は、上述したカセットブロック３と同様に、合成樹脂により形成されており、ブロック状に形成された本体部４０と、複数のガイド壁４１，４２と、本体部４０の側面に設けられた複数の被ロック部１２と、を一体に有している。
【００３１】
上記本体部４０は、その上面側に設けられかつ、複数の電気部品８が装着される平らな装着面４０ａと、装着面４０ａから矢印Ｙに沿って凹に設けられた複数の電線取付部４４と、を有している。この電線取付部４４は、各電線５の端末に取り付けられた端子金具７を本体部４０の下面側から受け入れて取り付けるとともに、電気部品８の端子部を本体部４０の上面側、即ち装着面４０ａ側、から受け入れて収容する。
【００３２】
上記複数のガイド壁４１，４２は、装着面４０ａから筒状に立設している。これらガイド壁４１，４２は、電気部品８が装着面４０ａに近付けられるにしたがって前記端子部が電線取付部４４内に矢印Ｙに沿って真っ直ぐに収容されるように、電気部品８を装着面４０ａに案内する。
【００３３】
上述したカセットブロック４は、図２に示すように、装着面４０ａがケース本体２の上面側に位置する向きで、矢印Ｙに沿ってケース本体２の下面側からケース本体２内に収容され、被ロック部１２がロック部１１に係止することでケース本体２の内側に取り付けられる。この際、突起部１２ｂが突起部１１ｂに係止されることで、カセットブロック４がケース本体２に対して矢印Ｙ方向に位置ずれすることが防止され、一対のガイドレール１２ａが一対のガイドレール１１ａ間に位置付けられることで、カセットブロック４がケース本体２に対して矢印Ｘ方向または矢印Ｚ方向に位置ずれすることが防止される。
【００３４】
このように、本発明の電気接続箱１は、１つのカセットブロック３がロック部１１によってケース本体２の上面側に取り付けられており、３つのカセットブロック４がそれぞれロック部１１によってケース本体２の下面側、即ちカセットブロック３の下側、に取り付けられている。また、３つのカセットブロック４は、それぞれ、カセットブロック３の３分の１程度の大きさに形成されており、矢印Ｘに沿って並ぶ位置に取り付けられている。即ち、本発明の電気接続箱１は、複数のカセットブロック３，４を上下２段に重ねてケース本体２内に取り付けている。さらに、これらカセットブロック３，４は、互いの間に上段側のカセットブロック３の複数の電線５を収容する空間Ｓが形成される位置に取り付けられている。
【００３５】
また、上段側のカセットブロック３を取り付けるロック部１１と、下段側のカセットブロック４を取り付けるロック部１１とは、矢印Ｘ方向または矢印Ｚ方向に互いに位置ずれした位置に設けられている。即ち、本発明では、このように、上段側のカセットブロック３を取り付けるロック部１１と、下段側のカセットブロック４を取り付けるロック部１１とを、矢印Ｘ方向または矢印Ｚ方向に互いに位置ずれした位置に設けることで、１つのケース本体２に、複数のカセットブロック３，４を上下２段に重ねて取り付けることが可能になっている。なお、本発明のケース本体２は、抜き方向が矢印Ｙ方向の射出成型金型で成形されているので、製造上の問題で、矢印Ｙ方向に直線上に並ぶ位置に複数のロック部１１を設けることができない。
【００３６】
このように、本発明では、複数のカセットブロック３，４を上下２段に重ねてケース本体２内に取り付けているので、ケース本体２即ち電気接続箱１の水平投影面積を増大させることなく電気部品８，９，１０の搭載個数を増加させることができる。
【００３７】
また、本発明では、上段側のカセットブロック３と下段側のカセットブロック４との間に上段側のカセットブロック３の下面側に取り付けられた複数の電線５を収容する空間Ｓが形成されているので、これら複数の電線５同士の干渉や、電線５と下段側のカセットブロック４に装着された電気部品８との干渉を緩和することができる。
【００３８】
また、上段側のカセットブロック３に取り付けられた電線５、及び、下段側のカセットブロック３に取り付けられた電線５は、いずれも周知の被覆電線である。これら電線５の両端末には、上述した端子金具７が取り付けられている。
【００３９】
そして、一方の端末が上段側のカセットブロック３の下面側または下段側のカセットブロック４の下面側に取り付けられた複数の電線５は、図１ないし図３に示すように、一束に束ねられて、図示しないロアカバーに設けられた電線引出口を通されて電気接続箱１の外部に引き出されている。図１ないし図３中の符号６は、複数の電線５が束ねられて構成された電線束を表している。この電線束６は、図示しない粘着テープや結束バンド等で束ねられている。また、ケース本体２の隅、即ち下段側のカセットブロック４とケース本体２の周壁２１との間、には、一方の端末が上段側のカセットブロック３の下面側に取り付けられた複数の電線５、即ち電線束６、を下段側のカセットブロック４の下面側に通すための通路（即ち空間）Ｗが形成されている。また、この通路Ｗを通される複数の電線５、即ち電線束６、は、下段側のカセットブロック４がケース本体２に取り付けられた状態で上段側のカセットブロック３をケース本体２から取り外すことができるだけの十分な作業余長が設定されている。
【００４０】
このように、本発明では、上段側のカセットブロック３側から下段側のカセットブロック４の下面側に通される複数の電線５が一束に束ねられ、かつ、一束に束ねられた電線束６を下段側のカセットブロック４の下面側に通すための通路Ｗがケース本体２の隅、即ち下段側のカセットブロック４とケース本体２の周壁２１との間、に形成されているので、上段側のカセットブロック３をケース本体２に取り付ける際に、電線５、即ち電線束６、の余長を通路Ｗに容易に収納することができる。
【００４１】
また、一部の電線５は、上段側のカセットブロック３に装着された電気部品８，９，１０同士、または、上段側のカセットブロック３に装着された電気部品８，９，１０と下段側のカセットブロック４に装着された電気部品８とを予め定められたパターンにしたがって電気的に接続している。
【００４２】
上記アッパカバーは、ケース本体２の上面側に取り付けられることで上段側のカセットブロック３に装着された電気部品８，９，１０を覆う。また、このアッパカバーとケース本体２の上端とには、これらアッパカバーとケース本体２とを固定するロック手段が複数設けられている。
【００４３】
上記ロアカバーは、ケース本体２の下面側に取り付けられることで下段側のカセットブロック４及び該カセットブロック４の下面側に取り付けられた複数の電線５を覆う。また、このロアカバーとケース本体２の下端とには、これらロアカバーとケース本体２とを隙間無く強固に固定するロック手段が複数設けられている。また、ロアカバーとケース本体２との合わせ目部分に雨水や洗車時の水が掛かっても良いように、これらロアカバーとケース本体２とを固定する前記ロック手段は、アッパカバーとケース本体２とを固定する前記ロック手段よりも係止力が大きく設定されており、その数もアッパカバーとケース本体２とを固定する前記ロック手段よりも多く設定されている。即ち、ロアカバーは、自動車の解体時以外はほとんどケース本体２から取り外す機会がないので、防水性能を高めるために、容易にケース本体２から取り外せないように作られている。これに対して、アッパカバーや上段側のカセットブロック３は、メンテナンス時にケース本体２から容易に取り外せるように作られている。
【００４４】
また、上述した下段側のカセットブロック４は、ガイド壁４１，４２の装着面４０ａからの高さが、電気部品８の装着面４０ａからの高さよりも高く形成されている。即ち、ガイド壁４１，４２の上端４１ａ，４２ａは、図２に示すように、電気部品８の上面８ａよりも矢印Ｙ方向の上側に位置している。このため、上段側のカセットブロック３と下段側のカセットブロック４との間の空間Ｓに収容される電線５は、図４及び図５に示すように、ガイド壁４１，４２の上端４１ａ，４２ａに接触し、電気部品８の上面８ａに接触することが防止される。また、ガイド壁４１，４２の上端４１ａ，４２ａには、電気部品８の交換の際に工具を差し込むため、または、電気部品８の誤組み付け防止のための切り欠き４２ｂが設けられているが、この切り欠き４２ｂの幅は、電線５が電気部品８の上面８ａに接触することを防止するために、電線束６の幅よりも小さく形成されている。
【００４５】
本発明では、このように、下段側のカセットブロック４のガイド壁４１，４２の装着面４０ａからの高さが、電気部品８の装着面４０ａからの高さよりも高く形成されているので、上段側のカセットブロック３に取り付けられた電線５が下段側のカセットブロック４に取り付けられた電気部品８に接触することを防止でき、電線５や電気部品８の電気接続箇所や電気部品８そのものに悪影響を及ぼすこと、即ち電線５の断線や電気部品８の熱による電線５の絶縁外皮の発煙等、を防止できる。
【００４６】
続いて、上述した電気接続箱１のメンテナンス方法について説明する。
【００４７】
上段側のカセットブロック３に装着された電気部品８，９，１０の交換等のメンテナンス作業を行う際には、アッパカバーをケース本体２から取り外すことで、上段側のカセットブロック３の装着面３０ａ、及び、装着面３０ａに装着された電気部品８，９，１０がケース本体２の上面側に露出されるので、該カセットブロック３をケース本体２から取り外さずにそのままメンテナンス作業を行う。
【００４８】
下段側のカセットブロック４に装着された電気部品８の交換等のメンテナンス作業を行う際には、アッパカバーをケース本体２から取り外し、続いて上段側のカセットブロック３をケース本体２の上方にずらしてケース本体２から取り外す。こうすることで下段側のカセットブロック４の装着面４０ａ、及び、装着面４０ａに装着された電気部品８がケース本体２の上面側に露出されるので、該カセットブロック４をケース本体２から取り外さずにそのままメンテナンス作業を行う。また、カセットブロック３をケース本体２から取り外す際には、図６に示すように、通路Ｗを支点としてカセットブロック３を矢印Ｄ方向にずらすことで、カセットブロック３をスムーズにケース本体２から取り外すことができるとともに、カセットブロック３に取り付けられた電線５が下段側のカセットブロック４に重ならず、下段側のカセットブロック４のメンテナンス作業を容易に行うことができる。
【００４９】
このように、本発明では、上段側のカセットブロック３への電気部品８，９，１０の装着方向、及び、下段側のカセットブロック４への電気部品８の装着方向が、矢印Ｙと平行であるので、各カセットブロック３，４のメンテナンス作業を行う際に、当該カセットブロック３，４をケース本体２から取り外さずとも、ケース本体２の上面側から容易にメンテナンス作業を行うことができる。
【００５０】
また、本発明では、上段側のカセットブロック３をケース本体２の上方にずらしてケース本体２から取り外す構造であるので、下段側のカセットブロック４のメンテナンス作業を行う際に、上段側のカセットブロック３をケース本体２から取り外すことで、下段側のカセットブロック４をケース本体２から取り外さずとも、ケース本体２の上面側から容易にメンテナンス作業を行うことができる。
【００５１】
さらに、本発明では、上述したように、上段側のカセットブロック３に取り付けられた複数の電線５が一束に束ねられており、該電線束６が、下段側のカセットブロック４の外側でかつケース本体２の隅に形成された通路Ｗを通されて下段側のカセットブロック４の下面側に通されているので、下段側のカセットブロック４のメンテナンス作業を行う際に、上段側のカセットブロック３に取り付けられた電線５が邪魔にならず、即ち下段側のカセットブロック４に重ならず、下段側のカセットブロック４のメンテナンス作業をさらに容易に行うことができる。また、通路Ｗを支点として上段側のカセットブロック３をスムーズにケース本体２から取り外すことができ、下段側のカセットブロック４のメンテナンス作業をさらに容易に行うことができる。
【００５２】
また、上述した実施形態では、カセットブロック３，４を上下２段に重ねてケース本体２内に取り付けた例を説明したが、本発明では、前記カセットブロックを３段以上に重ねて前記ケース本体内に取り付けても良い。その場合は、最下段以外の上段側のカセットブロックが前記ケース本体の上面側から当該ケース本体内に収容されて当該ケース本体に取り付けられる構造であれば良い。
【００５３】
また、上述した実施形態では、カセットブロック３，４が、電線５の端末に取り付けられた端子金具７を取り付ける電線取付部３４，４４を有している構成であったが、本発明では、前記カセットブロックが、電線取付部３４，４４に加えて、例えば、電気部品８，９，１０の端子部と電気接続される接続部が設けられた配線部材としてのバスバを取り付ける「バスバ取付部」をさらに有している構成であっても良い。
【００５４】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５５】
１  電気接続箱
２  ケース本体
３，４  カセットブロック
５  電線
６  電線束
８，９，１０  電気部品
１１  ロック部
４０ａ  装着面
４１，４２  ガイド壁
Ｓ  空間
Ｗ  通路
【図１】
0005390278.tif 000002
【図２】
0005390278.tif 000003
【図３】
0005390278.tif 000004
【図４】
0005390278.tif 000005
【図５】
0005390278.tif 000006
【図６】
0005390278.tif 000007